(57)【要約】【課題】ポンプから遠くに位置するクーラントの浮遊物を確実にポンプに吸入することができるクーラントシステムを提供する。【解決手段】工作機械１０から排出されるクーラントを貯留するタンク５０は、仕切部材５２によりタンク枠体５１内を外周クーラント槽５３と中央クーラント槽５４とに区画される。仕切部材５２には、外周クーラント槽５３と中央クーラント槽５４とを連通可能で深さ方向に延びるスリット５２ａが形成される。濾過装置７０へ送出するポンプ６０の吸入口６１は、中央クーラント槽５４に配置される。工作機械１０から排出されるクーラントは、外周クーラント槽５３を介さずに中央クーラント槽５４に供給され、濾過装置７０により濾過されたクーラントの少なくとも一部は、中央クーラント槽５４を介さずに外周クーラント槽５３に供給される。【選択図】図１
2014087871.tif 000002
【特許請求の範囲】
【請求項１】
工作機械から排出されるクーラントを貯留するタンクと、
前記タンク内のクーラントを濾過する濾過装置と、
前記濾過後のクーラントを前記工作機械へ送出する第一ポンプと、
前記タンク内のクーラントを前記濾過装置へ送出する第二ポンプと、
を備え、
前記タンクは、
タンク枠体と、
前記タンク枠体内を外周クーラント槽と中央クーラント槽とに区画すると共に、前記外周クーラント槽と前記中央クーラント槽とを連通可能で深さ方向に延びるスリットが形成された仕切部材と、
を備え、
前記第二ポンプの吸入口は、前記中央クーラント槽に配置され、
前記工作機械から排出されるクーラントは、前記外周クーラント槽を介さずに前記中央クーラント槽に供給され、
前記濾過装置により濾過されたクーラントの少なくとも一部は、前記中央クーラント槽を介さずに前記外周クーラント槽に供給される、
クーラントシステム。
【請求項２】
前記中央クーラント槽への供給口から供給されるクーラントによって、前記中央クーラント槽内に旋回流を発生させ、
前記第二ポンプの吸入口は、前記中央クーラント槽の中心に配置される、請求項１のクーラントシステム。
【請求項３】
前記クーラントシステムは、
前記仕切部材の内周面であって、前記スリットより前記中央クーラント槽の旋回流の上流側に、前記中央クーラント槽のクーラントの流れを径方向内側へ導く誘導部材を備える、請求項２のクーラントシステム。
【請求項４】
前記外周クーラント槽への供給口から供給されるクーラントによって、前記外周クーラント槽内に旋回流を発生させ、
前記中央クーラント槽の旋回流と前記外周クーラント槽の旋回流とは、同一方向の流れである、請求項２または３のクーラントシステム。
【請求項５】
前記中央クーラント槽への供給口から供給されるクーラントの単位時間当たりの流量は、前記第二ポンプの吸入口から吸入されるクーラントの単位時間当たりの流量より少なく設定される、請求項１〜４の何れか一項のクーラントシステム。
【発明の詳細な説明】
【技術分野】
【０００１】
本発明は、工作機械に用いるクーラントを濾過して循環するクーラントシステムに関するものである。
【背景技術】
【０００２】
特許文献１〜５に、種々のクーラントシステムが記載されている。
【先行技術文献】
【特許文献】
【０００３】
【特許文献１】特開２００６−５５９８１号公報
【特許文献２】特開２００３−１７５４３７号公報
【特許文献３】国際公開第２００８／０３５５５１号
【特許文献４】特開２０１２−４５６７８号公報
【特許文献５】特開２０１２−１２５９０９号公報
【発明の概要】
【発明が解決しようとする課題】
【０００４】
クーラントシステムにおいては、工作機械からクーラントをタンクへ排出し、当該タンクからクーラントをポンプによって濾過装置に送っている。タンク内において、ポンプの吸入口付近のクーラントは、ポンプによって吸入され、濾過装置へ送られる。一方、タンク内において、ポンプから遠くに位置するクーラントは、ポンプに吸入されにくい。しかし、上述したクーラントシステムにおいては、タンク内においてポンプから遠くに位置するクーラントの浮遊物を、ポンプに吸入することが容易ではない。
【０００５】
本発明は、このような事情に鑑みてなされたものであり、ポンプから遠くに位置するクーラントの浮遊物を確実にポンプに吸入することができるクーラントシステムを提供することを目的とする。
【課題を解決するための手段】
【０００６】
（請求項１）本手段に係るクーラントシステムは、工作機械から排出されるクーラントを貯留するタンクと、タンク内のクーラントを濾過する濾過装置と、濾過後のクーラントを工作機械へ送出する第一ポンプと、タンク内のクーラントを濾過装置へ送出する第二ポンプとを備える。そして、タンクは、タンク枠体と、タンク枠体内を外周クーラント槽と中央クーラント槽とに区画すると共に、外周クーラント槽と中央クーラント槽とを連通可能で深さ方向に延びるスリットが形成された仕切部材とを備える。さらに、第二ポンプの吸入口は、中央クーラント槽に配置され、工作機械から排出されるクーラントは、外周クーラント槽を介さずに中央クーラント槽に供給され、濾過装置により濾過されたクーラントの少なくとも一部は、中央クーラント槽を介さずに外周クーラント槽に供給される。
【０００７】
（請求項２）また、中央クーラント槽への供給口から供給されるクーラントによって、中央クーラント槽内に旋回流を発生させ、第二ポンプの吸入口は、中央クーラント槽の中心に配置されるようにしてもよい。
【０００８】
（請求項３）また、クーラントシステムは、仕切部材の内周面であって、スリットより中央クーラント槽の旋回流の上流側に、中央クーラント槽のクーラントの流れを径方向内側へ導く誘導部材を備えるようにしてもよい。
【０００９】
（請求項４）また、外周クーラント槽への供給口から供給されるクーラントによって、外周クーラント槽内に旋回流を発生させ、中央クーラント槽の旋回流と外周クーラント槽の旋回流とは、同一方向の流れとするとよい。
【００１０】
（請求項５）また、中央クーラント槽への供給口から供給されるクーラントの単位時間当たりの流量は、第二ポンプの吸入口から吸入されるクーラントの単位時間当たりの流量より少なく設定されるとよい。
【発明の効果】
【００１１】
（請求項１）本手段のクーラントシステムによれば、タンク内を仕切部材によって、外周クーラント槽と中央クーラント槽とを区画している。タンクから濾過装置へクーラントを送出する第二ポンプの吸入口は、タンク内のうち中央クーラント槽に配置される。そして、工作機械から排出されるクーラントは、中央クーラント槽に供給される。つまり、工作機械から排出された汚れたクーラントは、第二ポンプの近くである中央クーラント槽に供給される。従って、第二ポンプによって、汚れたクーラントを確実に濾過装置へ送出できる。
【００１２】
ところで、濾過装置によって濾過されたクーラントの中にも、汚れた浮遊物が含まれていることがある。この浮遊物を、再び濾過装置を通過させることで、確実に取り除くことができる。そこで、本手段のクーラントシステムによれば、濾過装置によって濾過されたクーラントを外周クーラント槽に供給している。そして、仕切部材にはスリットが形成されているため、外周クーラント槽に供給されたクーラントは、外周クーラント槽からスリットを通過して中央クーラント槽に移動させることができる。
【００１３】
さらに、スリットは、深さ方向に延びるように形成されている。従って、外周クーラント槽の深さ方向の広い範囲において、外周クーラント槽のクーラントが中央クーラント槽へ導かれる。その結果、外周クーラント槽のクーラントの浮遊物が中央クーラント槽に導かれることにより、第二ポンプによって中央クーラント槽から濾過装置へ送出されて濾過される。
【００１４】
（請求項２）中央クーラント槽に旋回流を発生させることにより、中央クーラント槽内のクーラントの浮遊物を旋回中心へ移動させることができる。旋回中心には、第二ポンプの吸入口が配置されている。従って、中央クーラント槽内のクーラントの浮遊物を確実に第二ポンプにより吸入することができ、濾過装置へ送出することができる。
【００１５】
（請求項３）仕切部材のスリットによって、中央クーラント槽から外周クーラント槽へクーラントが移動するおそれがある。しかしながら、誘導部材を設けることで、スリットを通過して、外周クーラント槽へ移動することを抑制できる。特に、誘導部材の配置には、中央クーラント槽での旋回流の方向を利用している。具体的には、スリットの上流側に誘導部材を設けることで、仕切部材の内周面付近を旋回するクーラントが誘導部材に当たる。誘導部材に当たったクーラントは、径方向内側、すなわち第二ポンプの吸入口へ導かれる。このようにして、スリットの直前にて径方向内側への流れ方向が形成されることで、スリットから外周クーラント槽へ移動することを確実に抑制できる。
【００１６】
（請求項４）外周クーラント槽に旋回流を発生させることにより、外周クーラント槽内のクーラントの浮遊物を旋回中心側、すなわち中央クーラント槽側へ移動させることができる。さらに、中央クーラント槽内の旋回流の方向と外周クーラント槽内の旋回流の方向とを同一方向としている。これにより、スリット付近のクーラントの浮遊物は、外周クーラント槽側から中央クーラント槽側へ移動しようとする。従って、外周クーラント槽内のクーラントの浮遊物を、確実に、中央クーラント槽の旋回中心へ移動させることができる。その結果、第二ポンプによって濾過装置へ送出することができる。
【００１７】
（請求項５）中央クーラント槽へ供給されるクーラントの単位時間当たりの流量（以下、単位流量）は、第二ポンプにより吸入される単位流量より少ない。従って、中央クーラント内のクーラントの貯留量が少なくなるように動作する。つまり、工作機械から排出された最も汚れたクーラントは、確実に、第二ポンプによって吸入される。
【００１８】
ここで、スリットを介して、外周クーラント槽と中央クーラント槽とは連通している。そして、第二ポンプにより吸入される単位流量を中央クーラント槽へ供給される単位流量より多くすることで、外周クーラント槽のクーラントがスリットを通過して中央クーラント槽へ移動することになる。従って、中央クーラント槽のクーラント、および、外周クーラント槽のクーラントが確実に、第二ポンプによって吸入されるようになる。
【図面の簡単な説明】
【００１９】
【図１】本発明の実施形態のクーラントシステムのシステム構成図である。
【図２】図１の一次タンクの軸方向断面図である。
【図３】図１のクーラントシステムを適用したクーラントユニットの平面図である。
【図４】図３のＡ−Ａ断面図である。
【図５】図３のＢ−Ｂ断面図である。
【図６】図３のＣ−Ｃ断面図である。
【図７】図３のＤ−Ｄ断面図である。
【発明を実施するための形態】
【００２０】
（クーラントシステムの構成）
本実施形態のクーラントシステムのシステム構成について、図１および図２を参照して説明する。図１に示すように、クーラントシステムは、工作機械１０に用いた汚れたクーラントを浄化させるためのシステムである。当該クーラントシステムは、汚れたクーラントは、二段階の濾過を施すことにより浄化され、浄化されたクーラントは、工作機械１０に戻す。
【００２１】
クーラントシステムは、回収タンク２０、ポンプ３０、一次濾過装置４０、一次タンク５０、ポンプ６０、二次濾過装置７０、二次タンク８０、循環用ポンプ９０を備える。回収タンク２０は、工作機械１０から排出されたクーラント、すなわち工作機械１０における加工に用いたクーラントを回収する。このクーラントは、切粉や砥粒などを含んでいる。
【００２２】
回収タンク２０にはポンプ３０の吸入口が配置されており、ポンプ３０の排出口は一次濾過装置４０に配置される。つまり、ポンプ３０の駆動によって、回収タンク２０に貯留された汚れたクーラントは、一次濾過装置４０へ送られる。一次濾過装置４０は、マグネットセパレータを適用する。ただし、一次濾過装置４０には、マグネットセパレータ以外の濾過装置を適用することはできる。本実施形態の一次濾過装置４０は、主として、クーラントに含まれる金属製の切粉を取り除く。
【００２３】
一次濾過装置４０により金属製の切粉を取り除かれたクーラントは、一次タンク５０（本発明の「タンク」に相当）に排出される。つまり、一次タンク５０には、金属製の切粉を取り除かれたクーラントを貯留する。一次タンク５０は、図１および図２に示すように、タンク枠体５１および仕切部材５２を備える。タンク枠体５１は、外枠の容器を形成する。ここでは、タンク枠体５１は、有底筒状に形成される。
【００２４】
仕切部材５２は、タンク枠体５１内を外周クーラント槽５３と中央クーラント槽５４とを区画するように、タンク枠体５１に固定される。ここでは、仕切部材５２は、円筒形状に形成される。つまり、外周クーラント槽５３は、タンク枠体５１の内周面と仕切部材５２の外周面との径方向間に形成される。つまり、外周クーラント槽５３は、ドーナツ形状に形成される。中央クーラント槽５４は、仕切部材５２の内周面の径方向内側の部分に形成される。なお、外周クーラント槽５３および中央クーラント槽５４は、円形周面形状に形成したが、円形に限られず湾曲した形状であればよい。
【００２５】
ただし、仕切部材５２は、全周に亘って完全に区画された形状ではない。仕切部材５２には、外周クーラント槽５３と中央クーラント槽５４とを連通するスリット５２ａが形成されている。スリット５２ａは、深さ方向に延びるように形成されている。具体的には、スリット５２ａの下面は、タンク枠体５１の底面に位置し、スリット５２ａの上面は、一次タンク５０に貯留されるクーラントの上面より上側に位置するように形成される。
【００２６】
そして、クーラントを一次濾過装置４０から一次タンク５０へ供給する供給口４５は、中央クーラント槽５４へ向けて配置される。つまり、一次濾過装置４０により濾過されたクーラントは、外周クーラント槽５３を介さずに、中央クーラント槽５４に供給される。さらに、供給口４５は、中央クーラント槽５４内の径方向外側寄りであって、最寄りの仕切部材５２の接線方向に平行な方向となるように開口されている。つまり、供給口４５から中央クーラント槽５４に供給されるクーラントによって、中央クーラント槽５４内に旋回流（図２の左回り）を発生させる。
【００２７】
さらに、仕切部材５２の内周面には、スリット５２ａの周方向一方縁から径方向内側に延びるように誘導部材５６が設けられている。誘導部材５６は、中心を向くのではなく、スリット５２ａ側に傾斜している。つまり、誘導部材５６は、スリット５２ａより中央クーラント槽５４の旋回流の上流側に、中央クーラント槽５４のクーラントの流れを径方向内側へ導く。
【００２８】
中央クーラント槽５４の中心にはポンプ６０の吸入口６１が配置されており、ポンプ６０の排出口は二次濾過装置７０に配置される。つまり、ポンプ６０の駆動によって、中央クーラント槽５４に貯留されているクーラントが、二次濾過装置７０へ送られる。特に、ポンプ６０の吸入口６１は、中央クーラント槽５４の中心のうち底面に近い位置に配置される。つまり、クーラントの旋回流の中心にポンプ６０の吸入口６１が配置される。
【００２９】
ここで、中央クーラント槽５４への供給口４５から供給されるクーラントの単位流量（単位時間当たりの流量）は、ポンプ６０の吸入口６１から吸入されるクーラントの単位流量より少なく設定される。つまり、本実施形態においては、ポンプ３０の吸入単位流量は、ポンプ６０の吸入単位流量より少なく設定される。
【００３０】
二次濾過装置７０は、サイクロン式濾過装置を適用し、一次濾過装置４０では取り除かれなかった切粉やスラッジを除去する。二次濾過装置７０により濾過されたクーラントは、十分に浄化されたクーラントとなる。二次濾過装置７０により濾過されたクーラントは、二次タンク８０に排出される。つまり、二次タンク８０は、十分に浄化されたクーラントを貯留する。二次タンク８０には、温度調節装置８１が設けられ、温度調節装置８１によって二次タンク８０内のクーラントが一定の温度となるように冷却される。
【００３１】
二次タンク８０には循環用ポンプ９０の吸入口が配置されており、循環用ポンプ９０の排出口は工作機械１０側にクーラント供給装置（図示せず）に接続される。つまり、循環用ポンプ９０の駆動によって、二次タンク８０に貯留されたクーラントは、工作機械１０へ送られる。
【００３２】
ここで、循環用ポンプ９０により吸入されるクーラントの単位流量は、ポンプ６０により吸入されるクーラントの単位流量より少なく設定される。従って、二次タンク８０の貯留量が規定量を超える状態となる。二次タンク８０の規定量を超えたクーラントは、二次タンク８０から一次タンク５０に返還される。二次タンク８０から一次タンク５０への返還供給口８２は、一次タンク５０の外周クーラント槽５３に向けて配置される。つまり、二次タンク８０をオーバーフローしたクーラントは、中央クーラント槽５４を介さずに、外周クーラント槽５３に供給される。
【００３３】
さらに、返還供給口８２は、外周クーラント槽５３の径方向外側寄りであって、最寄りのタンク枠体５１の外周部分の接線方向に平行な方向となるように開口されている。つまり、返還供給口８２から外周クーラント槽５３に供給されたクーラントによって、外周クーラント槽５３内に旋回流（図２の左回り）を発生させる。外周クーラント槽５３の旋回流と中央クーラント槽５４の旋回流とは、同一方向の流れとされている。
【００３４】
（クーラントシステムの動作）
上述したクーラントシステムの動作について図１および図２を参照して説明する。工作機械１０が動作している場合と、工作機械１０が動作していない場合とに分けて説明する。
【００３５】
まず、工作機械１０が動作している場合には、循環用ポンプ９０、ポンプ３０，６０が駆動する。工作機械１０によって使用されたクーラントは、回収タンク２０に排出されて、ポンプ３０の駆動によって一次濾過装置４０に送られる。一次濾過装置４０により濾過されたクーラントは、一次タンク５０の中央クーラント槽５４へ排出される。
【００３６】
中央クーラント槽５４内のクーラントは、中央クーラント槽５４内を旋回することにより、クーラント中の浮遊物が旋回中心側へ移動する。ここで、ポンプ６０の吸入口６１が旋回中心に配置されている。そのため、中央クーラント槽５４内を旋回するクーラントと共にクーラント中の浮遊物が、ポンプ６０に吸入される。吸入されたクーラントは、二次濾過装置７０へ送られて、濾過された後に二次タンク８０へ排出される。
【００３７】
特に、一次タンク５０内を仕切部材５２によって、外周クーラント槽５３と中央クーラント槽５４に区画されており、一次濾過装置４０から排出された汚れたクーラントは、ポンプ６０の吸入口６１の近くである中央クーラント槽５４に供給される。従って、ポンプ６０によって、汚れたクーラントを確実に二次濾過装置７０へ送出できる。
【００３８】
さらには、一次濾過装置４０から一次タンク５０の中央クーラント槽５４へ供給されるクーラントの単位流量は、ポンプ６０により中央クーラント槽５４から吸入する単位流量より少ない。従って、中央クーラント槽５４内のクーラントの貯留量が少なくなるように動作する。つまり、中央クーラント槽５４に供給された汚れたクーラントは、より確実に、ポンプ６０により吸入されることになる。
【００３９】
ここで、仕切部材５２の内周面付近を旋回するクーラントは、旋回方向において、スリット５２ａに到達するより前に誘導部材５６に当たる。そして、誘導部材５６に当たったクーラントは、径方向内側、すなわちポンプ６０の吸入口６１へ導かれる。このようにして、スリット５２ａの直前にて径方向内側への流れ方向が形成されることで、スリット５２ａから外周クーラント槽５３へ移動することを確実に抑制できる。
【００４０】
そして、二次濾過装置７０により濾過されて二次タンク８０に貯留されたクーラントは、循環用ポンプ９０によって工作機械１０へ送られる。ここで、循環用ポンプ９０により吸入されるクーラントの単位流量は、ポンプ６０により吸入されるクーラントの単位流量より少ない。従って、二次タンク８０に貯留されるクーラントは、二次タンク８０の規定量を超える状態となる。そうすると、二次タンク８０からオーバーフローし、オーバーフローしたクーラントは一次タンク５０の外周クーラント槽５３に供給される。
【００４１】
従って、中央クーラント槽５４の供給量、ポンプ６０による吸入量および二次タンク８０からのオーバーフロー量の関係から、一次タンク５０内のクーラントの流量がほぼ一定に保持される。
【００４２】
この流量の関係から、外周クーラント槽５３内のクーラントは、スリット５２ａを介して、中央クーラント槽５４へ移動する。従って、一次濾過装置４０から中央クーラント槽５４に供給された最も汚れたクーラントは、外周クーラント槽５３へ移動することなく、確実にポンプ６０により吸入されて、二次濾過装置７０へ送られる。
【００４３】
また、外周クーラント槽５３内のクーラントは、二次濾過装置７０により十分に浄化されている。しかし、当該クーラントにも浮遊物が含まれていることがある。そして、上記のように、外周クーラント槽５３内のクーラントが中央クーラント槽５４へ移動することにより、外周クーラント槽５３内のクーラントに含まれている浮遊物が、中央クーラント槽５４へ移動する。
【００４４】
このことに加えて、外周クーラント槽５３内のクーラントが外周クーラント槽５３内を旋回することにより、クーラント中の浮遊物が旋回中心側へ移動する。つまり、旋回流によっても、外周クーラント槽５３において、クーラント中の浮遊物は仕切部材５２側に移動する。そして、外周クーラント槽５３における旋回流と中央クーラント槽５４における旋回流とは同一方向である。従って、外周クーラント槽５３におけるスリット５２ａ付近の浮遊物は、外周クーラント槽５３からスリット５２ａを通過して中央クーラント槽５４へ移動しようとする。
【００４５】
特に、スリット５２ａは、深さ方向に延びるように形成されている。従って、外周クーラント槽５３の深さ方向の広い範囲において、外周クーラント槽５３のクーラントが中央クーラント槽５４へ導かれる。その結果、外周クーラント槽５３のクーラントの浮遊物が中央クーラント槽５４に導かれることにより、ポンプ６０によって再び二次濾過装置７０へ送出される。つまり、外周クーラント槽５３に供給されたクーラントが、再び二次濾過装置７０により濾過される。その結果、クーラントの一部は、二次濾過装置７０を複数回通過することにより、より浄化される。
【００４６】
次に、工作機械１０が動作していない場合には、ポンプ６０のみが駆動し、循環用ポンプ９０およびポンプ３０は停止している。この場合、クーラントが、一次濾過装置４０から中央クーラント槽５４へ供給されることはなく、二次タンク８０から工作機械１０へ送られることもない。
【００４７】
この場合に、ポンプ６０の駆動によって、中央クーラント槽５４から二次濾過装置７０へ送出され、二次濾過装置７０から二次タンク８０へ排出される。二次タンク８０において、工作機械１０へ送られることはないため、二次タンク８０の規定量を超えてオーバーフローする。そうすると、二次タンク８０のクーラントは、外周クーラント槽５３へ供給される。そして、外周クーラント槽５３から中央クーラント槽５４へ移動する。
【００４８】
つまり、外周クーラント槽５３→中央クーラント槽５４→二次濾過装置７０→二次タンク８０→外周クーラント槽５３の順に循環する。この間、二次濾過装置７０を通過することにより、浄化され続ける。
【００４９】
（クーラントユニットの構成）
次に、上述したクーラントシステムのうち回収タンク２０およびポンプ３０を除く他の構成をユニット化した装置の一例について、図３〜図７を参照して説明する。ここで、図３〜図７において、図１〜図２に示す構成と同一構成については、同一符号を付す。
【００５０】
クーラントユニットは、ユニット枠体１００と、ユニット枠体１００内を一次タンク５０と二次タンク８０とを区画する仕切部材１１０と、二次タンク８０内を部分的に仕切る流路規制板１２０と、戻り樋１３０と、蓋部材１４０とを備える。一次タンク５０を構成する部分には、図１に示した一次濾過装置４０、ポンプ６０、二次濾過装置７０が配置されている。また、二次タンク８０を構成する部分には、温度調節装置８１、循環用ポンプ９０が配置される。
【００５１】
戻り樋１３０は、二次タンク８０をオーバーフローしたクーラントを一次タンク５０の外周クーラント槽５３へ戻す流路である。なお、一次タンク５０を構成する部分の詳細は、上記した構成とほぼ同様であるため、詳細な説明を省略する。
【符号の説明】
【００５２】
１０：工作機械、  ３０，６０：ポンプ、  ４０：一次濾過装置、  ４５：供給口、  ５０：一次タンク、  ５１：タンク枠体、  ５２：仕切部材、  ５２ａ：スリット、  ５３：外周クーラント槽、  ５４：中央クーラント槽、  ５６：誘導部材、  ６１：吸入口、  ７０：二次濾過装置、  ８０：二次タンク、  ８１：温度調節装置、  ８２：返還供給口、  ９０：循環用ポンプ
【図１】
2014087871.tif 000003
【図２】
2014087871.tif 000004
【図３】
2014087871.tif 000005
【図４】
2014087871.tif 000006
【図５】
2014087871.tif 000007
【図６】
2014087871.tif 000008
【図７】
2014087871.tif 000009